(57)【特許請求の範囲】
【請求項１】
二酸化チタン微粒子とテトライソプロポキシチタンと有機溶媒とからなり、該テトライソプロポキシチタンを二酸化チタン微粒子１００重量部当り１０乃至４０重量部の量で含有し、且つ固形分濃度が２５乃至５０重量％の範囲にあると共に、前記有機溶媒としてブタノールが使用されていることを特徴とする半導体微粒子ペースト。
【請求項２】
二酸化チタン微粒子が５〜５００ｎｍの範囲にある請求項１に記載の半導体微粒子ペースト。
【請求項３】
請求項１に記載の半導体微粒子ペーストを、透明電極基板の表面に塗布し、１００℃未満の温度で焼成することにより透明電極基板の表面に半導体多孔質層を形成する方法。
【発明の詳細な説明】
【技術分野】
【０００１】
本発明は、半導体微粒子ペーストに関するものであり、より詳細には、色素増感型太陽電池の負極中の多孔質半導体層の形成に適した半導体微粒子ペーストに関する。
【背景技術】
【０００２】
現在、地球規模の環境問題や化石エネルギー資源枯渇問題などの観点から太陽光発電に対する期待が大きく、単結晶及び多結晶シリコン光電変換素子が太陽電池として実用化されている。しかし、この種の太陽電池は、高価格であること、シリコン原料の供給問題などを有しており、シリコン以外の材料を用いた太陽電池の実用化が望まれている。
【０００３】
上記のような見地から、最近では、シリコン以外の材料を用いた太陽電池として、色素増感型太陽電池が注目されている。この色素増感型太陽電池は、図１に示すように、透明ガラスや透明樹脂フィルムなどの透明基板１ａ上に透明導電膜１ｂ（例えばＩＴＯ膜）を電極基板１として使用し、この電極基板１の透明導電膜１ｂ上に二酸化チタンなどの金属酸化物半導体の多孔質層３を設け、この多孔質層３の表面に増感色素（例えばＲｕ色素）５を吸着させたものを負極７として有しており、このような負極７を、電解質液８を間に挟んで正極１０に対峙させた構造を有している。
【０００４】
このような構造の色素増感型太陽電池では、負極７側から可視光を照射すると、色素５が励起され、基底状態から励起状態へと遷移し、励起された色素５の電子は、半導体の多孔質層３の伝導帯へ注入され、外部回路１２を通って正極１０に移動する。正極１０に移動した電子は、電解液中のイオンによって運ばれ、色素５に戻る。このような過程の繰り返しにより電気エネルギーが取り出されるわけである。このような色素増感型太陽電池の発電メカニズムは、ｐｎ接合型光電変換素子と異なり、光の捕捉と電子伝導が別々の場所で行われ、植物の光電変換プロセスに非常に似たものとなっている。
【０００５】
ところで、上記のような色素増感型太陽電池の負極７は、透明基板１ａの透明導電膜１ｂ上に、例えば酸化チタンなどの半導体粒子のペーストを塗布し、焼成して酸化チタンからなる半導体の多孔質層３を形成し、この上に色素溶液を塗布し、色素を多孔質層３に吸着させた後、色素溶液の溶媒を除去することにより製造されている（特許文献１参照）。
また、酸化チタン半導体の多孔質層をゾル−ゲル法により形成する方法も知られている（特許文献２，３）。
【特許文献１】特開２００２−２９８６４６号
【特許文献２】特許第２６６４１９４号
【特許文献３】特公平８−１５０９７号
【発明の開示】
【発明が解決しようとする課題】
【０００６】
しかしながら、上記のような方法で負極を製造する場合には、半導体多孔質層を形成するための焼成を高温で行わなければならないという問題があった。例えば、特許文献１では、水を溶媒として用いて半導体ペーストを調製しているため、可及的に低温で焼成を行ったとしても焼成温度は１００℃以上でなければならない。また、特許文献２，３のゾル−ゲル法では、チタンアルコキシドを加水分解して焼成を行うため、やはり水を除去するため、少なくとも焼成温度は１００℃以上で無ければならない。実際、特許文献１〜３の何れにおいても、その実施例では焼成が４５０℃〜約５００℃で行われている。従って、このような高温で焼成を行うため、透明電極層を支持する透明基板として樹脂を用いた場合には、焼成時に変形等の不都合を生じ易いという問題があり、樹脂製基板の実用化が妨げられていた。
【０００７】
従って、本発明の目的は、色素増感型の負極における半導体多孔質層形成材料として使用され、１００℃未満の低温での焼成で多孔質層を形成することが可能な半導体微粒子ペーストを提供することにある。
本発明の他の目的は、上記の半導体微粒子ペーストを用いて透明電極基板上に半導体多孔質層を形成する方法を提供することにある。
【課題を解決するための手段】
【０００８】
本発明によれば、二酸化チタン微粒子とテトライソプロポキシチタンと有機溶媒とからなり、該テトライソプロポキシチタンを二酸化チタン微粒子１００重量部当り１０乃至４０重量部の量で含有し、且つ固形分濃度が２５乃至５０重量％の範囲にあると共に、前記有機溶媒としてブタノールが使用されていることを特徴とする半導体微粒子ペーストが提供される。
本発明によれば、また、上記の半導体微粒子ペーストを、透明電極基板の表面に塗布し、１００℃未満の温度で焼成することにより透明電極基板の表面に半導体多孔質層を形成する方法が提供される。
【０００９】
本発明においては、
（１）二酸化チタン微粒子が５〜５００ｎｍの範囲にあること、
が好ましい。
【発明の効果】
【００１０】
本発明の半導体微粒子ペーストは、水を全く含有していない非水系で調製されるため、多孔質化のための焼成を１００℃未満の低温領域で行うことが可能となる。また、半導体微粒子ペースト中のテトライソプロポキシチタンは、分散剤的な機能を有し、二酸化チタン微粒子を有機溶媒中に均一に分散させる。この場合、このテトライソプロポキシチタンは、焼成時に容易に酸化されて酸化チタンを形成するため、かかる成分を分解除去するために焼成を高温で行う必要はなく、１００℃未満での焼成を妨げない。
【００１１】
このように、本発明の半導体微粒子ペーストを用いれば、１００℃未満の低温での焼成により半導体多孔質層を形成することができるため、透明電極層を支持する透明基板として樹脂を有効に使用することが可能となる。
【発明を実施するための最良の形態】
【００１２】
本発明の半導体微粒子ペーストは、二酸化チタンを半導体として使用するものであり、この二酸化チタン微粒子を有機溶媒に分散させたものである。二酸化チタン微粒子は、表面積が大きく、多孔質の層を形成させるという点で、その粒径が５〜５００ｎｍ、特に５〜３５０ｎｍの範囲にあるのがよい。
【００１３】
また、二酸化チタン微粒子を分散させる有機溶媒としては、ブタノール、例えば、ｎ−ブタノール、ｓｅｃ−ブタノール、ｔ−ブタノールなどが単独または２種以上の組み合わせで使用される。これらは易揮発性であり、低温で容易に揮発して除去できるばかりか、二酸化チタン微粒子に対する分散性が優れているからである。
【００１４】
さらに、上記の半導体微粒子ペースト中には、二酸化チタン微粒子１００重量部当り、１０乃至４０重量部、特に１０乃至３０重量部の量でテトライソプロポキシチタンＴｉ（ＯＰｒｉ）４（Ｐｒｉ：イソプロポキシ基）を含有する。先に述べたとおり、テトライソプロポキシチタンは、所謂分散剤としての機能を有しており、有機溶媒（特に前記低級アルコール）中に金属酸化物半導体粒子を均一且つ安定に分散させることができ、更に、半導体粒子同士を連結させるように硬化し、均一な半導体多孔質層を形成するのに有利となる。しかも、テトライソプロポキシチタンは、後述する多孔質化のための焼成によって容易に対応する酸化チタンを形成するため、焼成時にかかる成分を除去する必要はなく、従って焼成温度の高温化をもたらすものではない。
【００１５】
また、テトライソプロポキシチタンが上記範囲よりも多量に使用されると、分散効果は上昇せず、かえって太陽電池としたときの変換効率を低下する等の不都合を生じ易く、また、上記範囲よりも少量とすると、所望の分散効果を得ることができず、均質な二酸化チタン多孔質層（以下、チタニア多孔質層と呼ぶ）を形成することが困難となってしまう。
【００１６】
さらに、上述した半導体微粒子ペーストの固形分濃度は、２０乃至５０重量％、特に２５乃至３０重量％の範囲にあるべきである。溶媒量が多すぎると、ペーストが低粘性となり、垂れ等により安定な厚みのコーティング層を形成することが困難となり、また、溶媒量が少ないと、ペーストが高粘性となり作業性が低下してしまう。
【００１７】
尚、上述した本発明の半導体微粒子ペーストは、１〜３モル程度のテトライソプロポキシチタンを含有する有機溶媒溶液を調製し、この有機溶媒溶液を二酸化チタン微粒子とともに前述した有機溶媒（即ち、ブタノール）に分散させることにより調製される。
【００１８】
上述した本発明の半導体微粒ペーストは、非水系で調製され、水を実質上含有しておらず、しかも除去すべき格別の分散剤を含有していないため、多孔質化のための焼成を低温、特に１００℃未満で行うことができ、特に樹脂フィルムなどを用いた透明電極基板を有する色素増感型電池の負極の製造に好適に使用される。
【００１９】
以下、本発明の半導体微粒子ペーストを用いての色素増感型太陽電池における負極の製造プロセスを、図１を参照して説明する。
【００２０】
先ず、図１で示されている透明電極基板１を用意する。この透明電極基板１は、透明基板１ａ上に透明導電膜１ｂを設けたものであり、透明基板１ａとしては、透明なガラス板や透明樹脂フィルムが使用される。透明樹脂フィルムとしては、透明である限り任意のものが使用されるが、例えば、低密度ポリエチレン、高密度ポリエチレン、ポリプロピレン、ポリ１−ブテン、ポリ４−メチル−１−ペンテン、或いはエチレン、プロピレン、１−ブテン、４−メチル−１−ペンテン等のα−オレフィン同士のランダム乃至ブロック共重合体等のポリオレフィン系樹脂；エチレン−酢酸ビニル共重合体、エチレン−ビニルアルコール共重合体、エチレン−塩化ビニル共重合体等のエチレン−ビニル化合物共重合体樹脂；ポリスチレン、アクリロニトリル−スチレン共重合体、ＡＢＳ、α−メチルスチレン−スチレン共重合体等のスチレン系樹脂；ポリビニルアルコール、ポリビニルピロリドン、ポリ塩化ビニル、ポリ塩化ビニリデン、塩化ビニル−塩化ビニリデン共重合体、ポリアクリル酸、ポリメタクリル酸、ポリアクリル酸メチル、ポリメタクリル酸メチル等のビニル系樹脂；ナイロン６、ナイロン６−６、ナイロン６−１０、ナイロン１１、ナイロン１２等のポリアミド樹脂；ポリエチレンテレフタレート、ポリブチレンテレフタレート等のポリエステル樹脂；ポリカーボネート；ポリフェニレンオキサイド；カルボキシメチルセルロース、ヒドロキシエチルセルロースなどのセルロース誘導体；酸化澱粉、エーテル化澱粉、デキストリンなどの澱粉；及びこれらの混合物からなる樹脂；などからなるフィルムを用いることができる。一般的には、強度や耐熱性等の見地から、ポリエチレンテレフタレートフィルムが好適に使用される。また、透明基板１ａの厚みや大きさは、特に制限されず、最終的に使用される色素増感型太陽電池の用途に応じて適宜決定される。
【００２１】
透明導電膜１ｂとしては、酸化インジウム−酸化錫合金からなる膜（ＩＴＯ膜）や酸化錫にフッ素をドープした膜（ＦＴＯ膜）が代表的であるが、電気抵抗が低いことから、特にＩＴＯ膜が好適である。これらは蒸着により上記の透明基板１ａ上に形成され、その厚みは、通常、０．５乃至０．７μｍ程度である。
【００２２】
次いで、透明基板１の透明導電膜１ｂ上に、前述した本発明の半導体粒子ペーストを塗布する。このペースト層は、焼成により図１における半導体多孔質層（チタニア多孔質層）３を形成するものである。
【００２３】
半導体微粒子ペーストのコーティングは、ドクターブレード法、スピンコート法、スクリーン印刷法、スプレーコーティング法等の周知の方法で行うことができ、その厚みは、焼成後の厚みが５乃至２０μｍ程度、半導体重量としては、０．００１乃至０．００５ｇ／ｃｍ２程度となるようにするのがよい。
【００２４】
上記のようにして本発明の半導体微粒子ペーストを透明基板１の透明導電膜１ｂ上にコーティングした後に、焼成を行う。この焼成は、既に述べたように、１００℃未満、特に７０乃至９５℃の温度で行うことができ、これにより、チタニア多孔質層３が形成される。即ち、このような低温領域で焼成を行うことができるため、前述した透明ガラスは、勿論のこと、透明な樹脂フィルムを透明基板１ａとして用いた場合にも、焼成時の変形を防止することができ、樹脂フィルムも基板材料として好適に使用することが可能となる。また、この焼成は、ペースト中の金属酸化物粒子が適度に焼結する程度でよく、例えばアルキメデス法による相対密度が５０乃至９０％に達する程度に緻密化されていればよく、通常、大気中で５乃至３０分程度行えばよい。
【００２５】
上記のようにして形成されたチタニア多孔質層３に色素溶液を接触させることにより、増感色素５を吸着させる。色素溶液の接触は、通常は、ディッピングにより行われ、吸着処理時間（浸漬時間）は、通常、３０分〜２４時間程度であり、吸着後、乾燥して色素溶液の溶媒を除去することにより、表面に増感色素５が形成された半導体多孔質層３を有する負極７を得ることができる。
【００２６】
用いる増感色素は、カルボキシレート基、シアノ基、ホスフェート基、オキシム基、ジオキシム基、ヒドロキシキノリン基、サリチレート基、α−ケト−エノール基などの結合基を有するそれ自体公知のものが使用され、前述した特許文献１〜３等に記載されているもの、例えばルテニウム錯体、オスミウム錯体、鉄錯体などを何ら制限なく使用することができる。特に幅広い吸収帯を有するなどの点で、ルテニウム−トリス（２，２’−ビスピリジル−４，４’−ジカルボキシラート）、ルテニウム−シス−ジアクア−ビス（２，２’−ビスピリジル−４，４’−ジカルボキシラート）などのルテニウム系錯体が好適である。このような増感色素の色素溶液は、溶媒としてエタノールやブタノールなどのアルコール系有機溶媒を用いて調製され、その色素濃度は、通常、３×１０−４乃至５×１０−４mol/l程度である。
【００２７】
また、上記の製造プロセスでは、本発明の半導体微粒子ペーストをコーティングし、焼成を行った後に色素の吸着を行っているが、本発明の半導体微粒子ペーストを用いると、１００℃未満の低温領域で焼成を行うことができるため、焼成を色素の吸着処理を行った後に行うこともできる。即ち、半導体微粒子ペーストを塗布し、乾燥を行った後に、ディッピング等により色素溶液を接触させて増感色素を吸着させ、この後に、焼成を行うことも可能である。この場合の乾燥は、大気中に放置するのみでの自然乾燥でよいが、必要により、１００℃未満の温度に加熱してもよい。
【００２８】
上記のように、色素の吸着を焼成に先立って行う場合には、ペースト中の半導体微粒子（二酸化チタン微粒子）が焼結しておらず、ばらばらの状態で存在しているため、吸着処理を短時間で行うことができるという大きな利点がある。即ち、色素溶液が迅速に半導体微粒子中に浸透し、増感色素の吸着が速やかに行われ、例えば、１０〜１５分程度の短時間で吸着処理を行うことができ、焼成後に吸着処理を行う場合の１／２以下の時間で吸着処理を完了することが可能となり、生産性、量産性の点で極めて優れている。
【００２９】
上記のようにして得られた負極７は、図１に示すように、電解質液８を間に挟んで対極である正極１０に対峙させることにより、色素増感型太陽電池として使用に供される。
【００３０】
尚、電解質液８としては、通常、リチウムイオン等の陽イオンや塩素イオン等の陰イオンを含む種々の電解質溶液を使用することができる。また、この電解質溶液中には、酸化型構造及び還元型構造を可逆的にとり得るような酸化還元対を存在させることが好ましく、このような酸化還元対としては、例えばヨウ素−ヨウ素化合物、臭素−臭素化合物、キノン−ヒドロキノンなどを挙げることができる。また、この電解質液８は、一般に、電気絶縁性の樹脂等により封止され、電極間から漏洩しないように構成されている。
【００３１】
また、正極１０は、透明、不透明に関係なく、種々の電極基板を用いることができ、例えばガラス基板や透明樹脂フィルムなどの透明基板表面に白金層やＩＴＯ等の透明電極層を蒸着させたもの、或いは透明基板表面にＩＴＯ等の透明電極層を蒸着させ、さらにその上に白金層を蒸着させたものなど、任意の構造を採ることができる。
【実施例１】
【００３２】
チタンイソプロポキシドを２ｍｏｌ/Lになるように、有機溶剤ブタノールで希釈したチタンアルコキシド溶液を調製し、この溶液と二酸化チタン粒子（構成粒子径は、１５〜３５０nmの汎用チタニア粒子）とを混合し、二酸化チタン微粒子１００重量部当り２０重量部の量でチタンイソプロポキシドを含有し、且つ固形分濃度が３０重量％の二酸化チタン微粒子ペーストを調製した。
【００３３】
そして、ポリエチレンテレフタレートフィルムに導電膜としてＩＴＯ膜を設けた導電性フィルム（トービ社製、製品名「OTEC」）に、上記で調製した二酸化チタンのペーストを塗布し、その後、室温での大気放置にて、５分間乾燥を行った。乾燥後の半導体ペースト（半導体コーティング層）の厚みは約５μｍで、半導体重量は約０．００２ｇ／ｃｍ２であった。
【００３４】
その後、純度９９．５％のエタノールに分散させたルテニウム錯体色素[Ru(dcbpy)2(NCS)2]・2H2Oからなる色素溶液を、ＩＴＯ膜上に形成された半導体コーティング層（チタニア膜）上に滴下・吸着し（吸着時間１０分）、大気雰囲気の電気オーブンで７０℃×１０分の条件で焼成を行って、負極を得た。
【００３５】
以上のようにして得られた負極を用い、LiI/I2 (0.5mol/0.05mol）をメトキシプロピオニトリルに溶かしたものに4-tert-butyl pyridine（ターシャリーブチルピリジン）を添加して作製した電解質を、白金を蒸着したITO/PETフィルムで構成される正極と上記負極とで挟み込んで、色素増感型太陽電池を作成した。この電池の変換効率を測定したところ、約３％であり、太陽電池として機能することが確認された。
【実施例２】
【００３６】
実施例１で調製されたチタンアルコキシド溶液を使用し、実施例１と同様にして、二酸化チタン微粒子１００重量部当り１０重量部の量でチタンイソプロポキシドを含有し、且つ固形分濃度が４５重量％の二酸化チタン微粒子ペーストを調製した。
【００３７】
そして、上記で調製された二酸化チタン微粒子ペーストを用いて、実施例１と同様の導電性フィルムに塗布し、その後、室温での大気放置にて、５分間乾燥を行った。乾燥後の半導体ペースト（半導体コーティング層）の厚みは約５μｍで、半導体重量は約０．００３ｇ／ｃｍ２であった。
【００３８】
その後、実施例１と同様に、色素溶液を、ＩＴＯ膜上の半導体コーティング層（チタニア膜）上に滴下・吸着し（吸着時間１０分）、大気雰囲気の電気オーブンで７０℃×１０分の条件で焼成を行って、負極を得た。
【００３９】
以上のようにして得られた負極を用い、実施例１と同様にして、該負極と正極との間に電解質を挟み込んだ色素増感型太陽電池を作成した。この電池の変換効率を測定したところ、約２％であり、太陽電池として機能することが確認された。
【実施例３】
【００４０】
実施例１で調製されたチタンアルコキシド溶液を使用し、実施例１と同様にして、二酸化チタン微粒子１００重量部当り４０重量部の量でチタンイソプロポキシドを含有し、且つ固形分濃度が３０重量％の二酸化チタン微粒子ペーストを調製した。
【００４１】
そして、上記で調製された二酸化チタン微粒子ペーストを用いて、実施例１と同様の導電性フィルムに塗布し、その後、室温での大気放置にて、５分間乾燥を行った。乾燥後の半導体ペースト（半導体コーティング層）の厚みは約５μｍで、半導体重量は約０．００２ｇ／ｃｍ２であった。
【００４２】
その後、実施例１と同様に、色素溶液を、ＩＴＯ膜上の半導体コーティング層（チタニア膜）上に滴下・吸着し（吸着時間１０分）、大気雰囲気の電気オーブンで７０℃×１０分の条件で焼成を行って、負極を得た。
【００４３】
以上のようにして得られた負極を用い、実施例１と同様にして、該負極と正極との間に電解質を挟み込んだ色素増感型太陽電池を作成した。この電池の変換効率を測定したところ、約２％であり、太陽電池として機能することが確認された。
【００４４】
（比較例１）
実施例１で調製されたチタンアルコキシド溶液を使用し、実施例１と同様にして、二酸化チタン微粒子１００重量部当り２０重量部の量でチタンイソプロポキシドを含有し、且つ固形分濃度が５５重量％の二酸化チタン微粒子ペーストを調製した。
【００４５】
そして、上記で調製された二酸化チタン微粒子ペーストを用いて、実施例１と同様の導電性フィルムに塗布し、その後、室温での大気放置にて、５分間乾燥を行った。乾燥後の半導体ペースト（半導体コーティング層）の厚みは約５μｍで、半導体重量は約０．００２ｇ／ｃｍ２であった。
【００４６】
その後、実施例１と同様に、色素溶液を、ＩＴＯ膜上の半導体コーティング層（チタニア膜）上に滴下・吸着し（吸着時間１０分）、大気雰囲気の電気オーブンで７０℃×１０分の条件で焼成を行って、負極を得た。
【００４７】
以上のようにして得られた負極を用い、実施例１と同様にして、該負極と正極との間に電解質を挟み込んだ色素増感型太陽電池を作成した。この電池の変換効率を測定したところ、殆ど機能しておらず、機能しない原因は、負極の二酸化チタンの分散が不十分であったためである。
【００４８】
（比較例２）
実施例１で調製されたチタンアルコキシド溶液を使用し、実施例１と同様にして、二酸化チタン微粒子１００重量部当り５重量部の量でチタンイソプロポキシドを含有し、且つ固形分濃度が２５重量％の二酸化チタン微粒子ペーストを調製した。
【００４９】
そして、上記で調製された二酸化チタン微粒子ペーストを用いて、実施例１と同様の導電性フィルムに塗布し、その後、室温での大気放置にて、５分間乾燥を行った。乾燥後の半導体ペースト（半導体コーティング層）の厚みは約５μｍで、半導体重量は約０．００２ｇ／ｃｍ２であった。
【００５０】
その後、実施例１と同様に、色素溶液を、ＩＴＯ膜上の半導体コーティング層（チタニア膜）上に滴下・吸着し（吸着時間１０分）、大気雰囲気の電気オーブンで７０℃×１０分の条件で焼成を行って、負極を得た。
【００５１】
以上のようにして得られた負極を用い、実施例１と同様にして、該負極と正極との間に電解質を挟み込んだ色素増感型太陽電池を作成した。この電池の変換効率を測定したところ、殆ど機能しておらず、機能しない原因は、比較例１と同様、負極の二酸化チタンの分散が不十分であったためである。
【００５２】
（比較例３）
実施例１で調製されたチタンアルコキシド溶液を使用し、実施例１と同様にして、二酸化チタン微粒子１００重量部当り４０重量部の量でチタンイソプロポキシドを含有し、且つ固形分濃度が２０重量％の二酸化チタン微粒子ペーストを調製した。
【００５３】
そして、上記で調製された二酸化チタン微粒子ペーストを用いて、実施例１と同様の導電性フィルムに塗布し、その後、室温での大気放置にて、５分間乾燥を行った。乾燥後の半導体ペースト（半導体コーティング層）の厚みは約３μｍで、半導体重量は約０．０１ｇ／ｃｍ２であった。
【００５４】
その後、実施例１と同様に、色素溶液を、ＩＴＯ膜上の半導体コーティング層（チタニア膜）上に滴下・吸着し（吸着時間１０分）、大気雰囲気の電気オーブンで７０℃×１０分の条件で焼成を行って、負極を得た。
【００５５】
以上のようにして得られた負極を用い、実施例１と同様にして、該負極と正極との間に電解質を挟み込んだ色素増感型太陽電池を作成した。この電池の変換効率を測定したところ、殆ど機能しておらず、機能しない原因は、負極の二酸化チタン多孔質層を３μｍ以上の厚みに厚膜化できなかったためである。
【００５６】
（比較例４）
実施例１で調製されたチタンアルコキシド溶液を使用し、実施例１と同様にして、二酸化チタン微粒子１００重量部当り５０重量部の量でチタンイソプロポキシドを含有し、且つ固形分濃度が３０重量％の二酸化チタン微粒子ペーストを調製した。
【００５７】
そして、上記で調製された二酸化チタン微粒子ペーストを用いて、実施例１と同様の導電性フィルムに塗布し、その後、室温での大気放置にて、５分間乾燥を行った。その結果、半導体ペーストのコーティング層に多数の亀裂が入り、焼成による多孔質層の形成ができなくなった。
【図面の簡単な説明】
【００５８】
【図１】色素増感型太陽電池の概略構造を示す図。
【符号の説明】
【００５９】
１：透明電極基板
１ａ：透明基板
１ｂ：透明導電層
３：半導体多孔質層（チタニア多孔質層）
５：増感色素
７：負極
８：電解質液
１０：正極
【図１】
0004635447.tif 000002